(57)【特許請求の範囲】
【請求項１】
携帯型情報端末を用いて空調機ネットワークの設定を支援する設定支援システムであって、
空調機の紐付け情報と冷媒系統識別情報とを対応付ける対応付け情報を取得する取得部と、
前記紐付け情報に対応し、前記携帯型情報端末の位置を示す指定情報を検出する検出部と、
前記対応付け情報および前記携帯型情報端末の前記位置を示す前記指定情報に応じて決定されるアドレスであって、前記対応付け情報において、検出された前記指定情報に適合する紐付け情報に対応付けられた冷媒系統識別情報に基づく前記アドレスを、前記携帯型情報端末を用いた近距離無線通信に基づいて、設定対象の空調機に設定する設定制御部と
を含む、設定支援システム。
【請求項２】
前記設定支援システムは、
前記設定対象の空調機に関連した記憶部にアクセスするための近距離無線通信を確立する通信部
を含み、前記アクセスに基づいて、前記設定対象の空調機に前記アドレスが設定される、請求項１に記載の設定支援システム。
【請求項３】
前記設定対象の空調機に関連した前記記憶部は、近距離無線通信による誘導起電力に基づいて動作することを特徴とする、請求項２に記載の設定支援システム。
【請求項４】
前記紐付け情報は、複数の情報を含み、前記設定支援システムは、前記紐付け情報が含む前記複数の情報に基づいて前記指定情報に対応する冷媒系統識別情報を判別する判別部を含む、請求項２または３に記載の設定支援システム。
【請求項５】
前記アドレスを構成する一部の情報は、作番されるか、または、ユーザ入力に基づいて生成され、前記設定支援システムは、
空調機に設定したアドレスおよび空調機の識別情報の一方または両方を記録する記録部と、
前記記録部により記録された情報に基づいて、アドレスの重複設定を検知する重複検知部と
を含む、請求項２〜４のいずれか１項に記載の設定支援システム。
【請求項６】
前記設定制御部は、前記設定対象の空調機に関連した前記記憶部に対し、確立された前記近距離無線通信により、前記アクセスとして前記アドレスの書き込みを行うことで前記設定対象の空調機に前記アドレスを設定する書込制御部であり、前記設定支援システムは、前記通信部および前記書込制御部を備える前記携帯型情報端末を含む、請求項２〜５のいずれか１項に記載の設定支援システム。
【請求項７】
前記設定支援システムは、１または複数の空調機と、空調集中制御機および遠隔操作機のいずれか一方または両方とを含み、前記アドレスが設定された空調機は、前記空調集中制御機または前記遠隔操作機に対し、前記空調機ネットワークを介して、自身に設定されたアドレスを送信し、前記空調集中制御機または前記遠隔操作機は、受信したアドレスを登録することを特徴とする、請求項２〜６のいずれか１項に記載の設定支援システム。
【請求項８】
前記対応付け情報は、空調機の属性情報をさらに対応付けており、前記設定制御部は、対応する属性情報を前記アドレスに付加して前記設定対象の空調機に設定することを特徴とし、前記アドレスおよび前記属性情報が設定された空調機は、設定された属性情報を前記自身に設定されたアドレスに付加して送信し、前記空調集中制御機または前記遠隔操作機は、受信したアドレスおよび属性情報を紐付けて管理することを特徴とする、請求項７に記載の設定支援システム。
【請求項９】
前記設定支援システムは、空調集中制御機および遠隔操作機のいずれか一方または両方を含み、前記対応付け情報は、空調機の属性情報をさらに対応付けており、前記設定制御部は、さらに、前記空調集中制御機または前記遠隔操作機が備える記憶部に対し、別途確立された近距離無線通信により、前記アドレスおよび前記属性情報を書き込み、前記空調集中制御機または前記遠隔操作機は、書き込まれたアドレスおよび属性情報を紐付けて管理することを特徴とする、請求項２〜６のいずれか１項に記載の設定支援システム。
【請求項１０】
前記設定支援システムは、空調集中制御機および遠隔操作機のいずれか一方または両方を含み、さらに、前記設定対象の空調機に関連した前記記憶部から、確立された前記近距離無線通信により、前記アクセスとして識別情報を読み込む読込制御部を含み、前記設定支援システムは、前記通信部および前記読込制御部を備える前記携帯型情報端末を含み、前記設定制御部は、前記識別情報に基づいて前記空調機ネットワークを介して前記設定対象の空調機に対し前記アドレスを伝達することで前記アドレスを設定するものであり、前記空調集中制御機または前記遠隔操作機が前記設定制御部を含む、請求項２〜５のいずれか１項に記載の設定支援システム。
【請求項１１】
前記対応付け情報は、空調機の属性情報をさらに対応付けており、前記携帯型情報端末は、前記空調集中制御機または前記遠隔操作機に対し、別途確立された近距離無線通信により、前記識別情報に関連付けて属性情報を書き込む書込制御部を含み、前記空調集中制御機または前記遠隔操作機は、書き込まれた属性情報を、前記識別情報に対応するアドレスに紐付けて管理することを特徴とする、請求項１０に記載の設定支援システム。
【請求項１２】
前記紐付け情報は、配置位置座標、配置場所名、空調機識別情報、配管識別情報の少なくとも１つを含み、前記指定情報は、表示画面を介した位置座標入力、モーションセンサの出力に基づく位置座標推定、表示画面を介した配置場所名、空調機識別情報または配管識別情報の選択、および、音声認識に基づく配置場所名、空調機識別情報または配管識別情の入力からなる群から選択された少なくとも１つの入力を検出したものであり、前記アドレスは、前記冷媒系統識別情報を含んだアドレスである、請求項１〜１１のいずれか１項に記載の設定支援システム。
【請求項１３】
空調機ネットワークの設定を支援する携帯型情報端末であって、
空調機の紐付け情報と冷媒系統識別情報とを対応付ける対応付け情報を取得する取得部と、
前記紐付け情報に対応し、当該携帯型情報端末の位置を示す指定情報を検出する検出部と、
前記対応付け情報において検出された前記指定情報に適合する紐付け情報に対応付けられた冷媒系統識別情報を判別する判別部と、
前記対応付け情報および前記携帯型情報端末の前記位置を示す前記指定情報に応じて決定されるアドレスであって、判別された前記冷媒系統識別情報に基づく前記アドレスを、前記携帯型情報端末を用いた近距離無線通信に基づいて、設定対象の空調機に設定する動作を実行する動作実行部と
を含む、携帯型情報端末。
【請求項１４】
前記設定対象の空調機に関連した記憶部にアクセスするための近距離無線通信を確立する通信部
を含み、前記アクセスに基づいて、前記設定対象の空調機に前記アドレスが設定される、請求項１３に記載の携帯型情報端末。
【請求項１５】
前記動作実行部は、前記動作として、前記設定対象の空調機に関連した前記記憶部に対し、確立された前記近距離無線通信により、前記アドレスの書き込みを行うことで前記アドレスを設定する、請求項１４に記載の携帯型情報端末。
【請求項１６】
前記携帯型情報端末は、前記設定対象の空調機に関連した前記記憶部から、確立された前記近距離無線通信により、前記アクセスとして識別情報を読み込む読込制御部を含み、前記動作実行部は、前記動作として、空調集中制御機または遠隔操作機に対し、前記冷媒系統識別情報および前記識別情報を渡して、前記空調機ネットワークを介した前記設定対象の空調機に対する前記アドレスの書き込みを行わせる、請求項１４に記載の携帯型情報端末。
【請求項１７】
携帯型情報端末を用いて空調機ネットワークの設定を支援する設定支援方法であって、前記携帯型情報端末が備えるコンピュータが、
空調機の紐付け情報と冷媒系統識別情報とを対応付ける対応付け情報を取得するステップと、
前記紐付け情報に対応し、前記携帯型情報端末の位置を示す指定情報を検出するステップと
前記対応付け情報において検出された前記指定情報に適合する紐付け情報に対応付けられた冷媒系統識別情報を判別するステップと、
前記対応付け情報および前記携帯型情報端末の前記位置を示す前記指定情報に応じて決定されるアドレスであって、判別された前記冷媒系統識別情報に基づく前記アドレスを、前記携帯型情報端末を用いた近距離無線通信に基づいて、設定対象の空調機に設定する動作を実行するステップと
を実行する、設定支援方法。
【請求項１８】
前記設定支援方法は、コンピュータが、
前記設定対象の空調機に関連した記憶部にアクセスするための近距離無線通信を確立するステップを含み、前記アクセスに基づいて、前記設定対象の空調機に前記アドレスが設定される、請求項１７に記載の設定支援方法。
【請求項１９】
前記動作を実行するステップは、コンピュータが、
前記動作として、前記設定対象の空調機に関連した前記記憶部に対し、確立された前記近距離無線通信により、前記アドレスの書き込みを行うことで前記アドレスを設定するステップを含む、請求項１８に記載の設定支援方法。
【請求項２０】
前記設定支援方法は、コンピュータが、
前記設定対象の空調機に関連した前記記憶部から、確立された前記近距離無線通信により、前記アクセスとして識別情報を読み込むステップを含み、前記動作を実行するステップは、コンピュータが、前記動作として、空調集中制御機または遠隔操作機に対し、前記冷媒系統識別情報および前記識別情報を渡すことにより、前記空調機ネットワークを介した前記設定対象の空調機に対する前記アドレスの書き込みを行わせるステップを含む、請求項１８に記載の設定支援方法。
【請求項２１】
空調機ネットワークの設定を支援する携帯型情報端末を実現するためのプログラムであって、前記携帯型情報端末が備えるコンピュータを、
空調機の紐付け情報と冷媒系統識別情報とを対応付ける対応付け情報を取得する取得部、
前記紐付け情報に対応し、前記携帯型情報端末の位置を示す指定情報を検出する検出部、
前記対応付け情報において検出された前記指定情報に適合する紐付け情報に対応付けられた冷媒系統識別情報を判別する判別部、および
前記対応付け情報および前記携帯型情報端末の前記位置を示す前記指定情報に応じて決定されるアドレスであって、判別された前記冷媒系統識別情報に基づく前記アドレスを、前記携帯型情報端末を用いた近距離無線通信に基づいて、設定対象の空調機に設定する動作を実行する動作実行部
として機能させるプログラム。
【発明の詳細な説明】
【技術分野】
【０００１】
本開示は、設定支援システム、設定支援装置、設定支援方法、プログラムおよび空調機に関する。
【背景技術】
【０００２】
ビルなどの建物においては、複数の空調機を接続してネットワークが構築されている。また、空調機を接続するネットワークとして、無極性２芯の渡り配線による低コストのシリアル通信を用いたものが知られている。この空調機ネットワークでは、接続するユニットの順序や配線の分岐数に制限がなく、複数の冷媒系統にまたがる自由度の高い配線形態が可能である。一方、空調機ネットワーク内に複数の冷媒系統が混在する場合は、同一系統に接続される空調機間で通信を行うため、各空調機に対し、冷媒系統といった冷媒系統識別情報を関連させた個別の通信アドレス（例えば、冷媒系統番号を含む通信アドレス）を設定することが求められる。【０００３】
上述した通信アドレスの対応付けに関して、特許文献１が知られている。特許文献１は、自己識別情報を含む情報を受信するための第１情報受信手段と、自己識別情報を記憶するための複数の空調機と通信接続される集中管理機器において、空調機の設置位置に関する情報である設置位置情報と自己識別情報との対応付けの確立を支援するためのシステムを開示する。特許文献１に開示されたシステムは、無線情報端末、位置情報導出手段および情報対応付け保存手段を備える。無線情報端末には、情報送信手段を有する自己識別情報が記憶される。情報送信手段は、自己識別情報を第１情報受信手段に無線送信するためのものである。位置情報導出手段は、無線情報端末の位置情報を導出する。情報対応付け保存手段は、自己識別情報と位置情報導出手段において導出された無線情報端末の位置情報とを対応付ける。【０００４】
しかしながら、特許文献１に開示される従来技術では、各空調機が接続される冷媒系統を判別する手段がないため、複数の冷媒系統が混在する場合に適切なアドレスを設定することができるものではなかった。
【先行技術文献】
【特許文献】
【０００５】
【特許文献１】特開２００７−１０２２３号公報
【発明の概要】
【発明が解決しようとする課題】
【０００６】
本開示は、従来技術における上記点に鑑みてなされたものであり、本開示は、空調機ネットワークにおいて、空調機に対し、その冷媒系統識別情報に応じたアドレスを効率良く設定することを可能とする設定支援システムを提供することを目的とする。
【課題を解決するための手段】
【０００７】
本開示では、上記課題を解決するために、本発明による実施形態においては、下記特徴を有する設定支援システムが提供される。設定支援システムは、空調機の紐付け情報と冷媒系統識別情報とを対応付ける対応付け情報を取得する取得部と、紐付け情報に対応し、設定対象の空調機を指定する指定情報を検出する検出部とを含む。設定支援システムは、さらに、対応付け情報および指定情報に基づいて冷媒系統識別情報に関連するアドレスを、空調機に設定する設定制御部を含む。【０００８】
その他、本願が開示する課題、およびその解決方法は、発明を実施するための形態の欄および図面により明らかにされる。
【発明の効果】
【０００９】
本開示によれば、空調機ネットワークにおいて、空調機に対し、その冷媒系統識別情報に応じたアドレスを効率よく設定することが可能となる。
【図面の簡単な説明】
【００１０】
【図１】図１は、本発明の１または複数の実施形態による空調システム１の全体構成例を示すブロック図である。
【図２】図２は、本発明の１または複数の実施形態による空調機２（遠隔操作機４および空調集中制御機６）の構成例を示すブロック図である。
【図３】図３は、本発明の１または複数の実施形態による携帯型情報端末７の構成例を示すブロック図である。
【図４】図４は、本発明の１または複数の実施形態による配置情報管理装置９の構成例を示すブロック図である。
【図５】図５は、本発明の第１実施形態による空調システム１におけるアドレス設定の処理の流れおよびその主要な構成を説明する図である。
【図６】図６は、本発明の特定の実施形態において用いられる（Ａ）空調機配置情報９４１のデータ構造および（Ｂ）位置座標入力画面７７１を例示する図である。
【図７】図７は、本発明の第１実施形態による空調システム１において実行される各装置間のやり取りを示すシーケンス図である。
【図８】図８は、本発明の第１実施形態による携帯型情報端末７が実行する動作を示すフローチャートである。
【図９】図９は、本発明の第１実施形態による空調機２が実行する動作を示すフローチャートである。
【図１０】図１０は、本発明の第１実施形態による空調集中制御機６が実行する動作を示すフローチャートである。
【図１１】図１１は、本発明の第２実施形態による空調システム１におけるアドレス設定の処理の流れおよび主要な構成を説明する図である。
【図１２】図１２は、本発明の第２実施形態による空調システム１において実行される各装置間のやり取りを示すシーケンス図である。
【図１３】図１３は、本発明の第３実施形態による空調システム１におけるアドレス設定の処理の流れおよび主要な構成を説明する図である。
【図１４】図１４は、本発明の第３実施形態による空調システム１において実行される各装置間のやり取りを示すシーケンス図である。
【図１５】図１５は、本発明の第４実施形態による空調システム１において実行される各装置間のやり取りを示すシーケンス図である。
【図１６】図１６は、本発明の第４実施形態による携帯型情報端末７が実行する動作を示すフローチャートである。
【図１７】図１７は、本発明の実施形態において用いられる（Ａ）アドレス管理情報のデータ構造および（Ｂ）アドレス設定情報のデータ構造を例示する図である。
【図１８】図１８（Ａ）〜（Ｃ）は、本発明の複数の他の実施形態による配置場所名および系統内号機番号の入力方法を例示するブロック図である。
【発明を実施するための形態】
【００１１】
以下、本発明の実施形態について、図面を参照しながら説明するが、本発明の実施形態は、以下に説明する、図示した具体的な実施形態に限定されるものではない。なお、以下、設定支援システムおよび設定支援装置の一例として、それぞれ、複数の空気調和機（以下、「空気調和」を「空調」と略して参照する。）機を含み構成される空調システム１および携帯型情報端末７を用いて説明する。なお、図面において、同一符号は、同一または相当部分を示すものとする。
【００１２】
［第１実施形態］
以下、図１〜図１０を参照しながら、本発明の第１実施形態による空調システム１０について説明する。
【００１３】
図１は、空調システム１の全体構成例を示す。なお、図１は、１または複数の実施形態において共通して用いることができる全体構成を例示する。図１を参照しながら、第１実施形態において全体構成を中心的に説明するが、特に断りがない場合は、後述する他の実施形態でも同様の構成を備え得る点に留意されたい。
【００１４】
図１に示す空調システム１は、設置対象の複数の空調機２と、遠隔操作機４と、空調集中制御機６とを含み構成されている。空調システム１においては、複数の空調機２および空調集中制御機６が、例えば無極性２芯の渡り配線などにより接続されており、空調機ネットワーク３を構成している。
【００１５】
空調機２は、それぞれ、室内空調機（２ａ〜２ｃ）であってもよいし、室外空調機（２ｄ，２ｅ）であってもよい。なお、「空調機」には、遠隔操作機および空調集中制御機６も含まれるが、ここでいう空調機２は、冷凍サイクル制御に関与する室内空調機および室外空調機のいずれかをいうものとする。
【００１６】
遠隔操作機４は、「リモートコントローラ」または略して「リモコン」と一般的に呼称されるものであり、空調設定を行うためのパネルおよびボタンを備える。室内空調機２ａ〜２ｃと、遠隔操作機４ａ〜４ｃは、それぞれ、例えば接続線５ａ〜５ｃを介して接続される。なお、図１においては、室内空調機２および遠隔操作機４は、接続線５を介して一対一で接続されているように描かれているが、特に限定されるものではなく、これらは、渡り線を介して接続されて、１台の遠隔操作機４を用いて複数台の室内空調機２が操作されてもよいし、渡り線なしで空調機ネットワーク３を経由して接続されてもよい。
【００１７】
図１の例において、室内空調機２ａ，２ｂおよび室外空調機２ｄは、冷媒配管で連結されており、同一の冷媒系統Ａに属する。一方、室内空調機２ｃおよび室外空調機２ｅも、別の冷媒配管で連結されており、別の冷媒系統Ｂに属する。したがって、図１に示す空調機ネットワーク３においては、複数の冷媒系統が混在する形態となっている。
【００１８】
空調機ネットワーク３においては、複数の空調機２または空調集中制御機６との間で通信を行うために、各空調機２または空調集中制御機６に個別の通信アドレスが設定される。特に同一冷媒系統に接続される室外空調機と室内空調機との通信を介した連携動作によって冷凍サイクル制御が行われる。このため、各空調機２がいずれの冷媒系統に接続されているのかを識別できるように、冷媒系統に関連する通信アドレス、典型的には、冷媒系統を識別する冷媒系統識別情報を含んだ通信アドレスが設定される。
【００１９】
本実施形態における空調システム１は、上述した空調機ネットワーク３における各空調機２へのアドレス設定を支援するために、携帯型情報端末７と、配置情報管理装置９とを含み構成される。
【００２０】
配置情報管理装置９は、各空調機の配置および各空調機が接続された冷媒系統を記述した空調機配置情報を管理する装置である。配置情報管理装置９としては、特に限定されるものではないが、デスクトップ・コンピュータ、ラップトップ・コンピュータ、サーバ・コンピュータなどの汎用的なコンピュータが用いられる。
【００２１】
携帯型情報端末７は、空調機ネットワーク３の設定を行う作業者が携帯する端末である。携帯型情報端末７としては、特に限定されるものではないが、スマートフォン、タブレットコンピュータ、スマートグラス、専用端末装置などが用いられる。複数の作業者が設定作業を行う場合、複数の携帯型情報端末７があってもよい。
【００２２】
携帯型情報端末７とおよび配置情報管理装置９は、通信ネットワーク８を介して接続される。通信ネットワーク８は、有線または無線のローカル・エリア・ネットワーク（ＬＡＮ）、３Ｇ、ＬＴＥ（Long Term Evolution）や５Ｇなどの移動体通信網、インターネットなどを含んで構成される。
【００２３】
空調機２や空調集中制御機６と携帯型情報端末７との間では、近距離無線通信１２が行われる。近距離無線通信１２は、例えば、ＮＦＣ（Near-field communication）、Ｂｌｕｅｔｏｏｔｈ（登録商標）、ＩＥＥＥ（Institute of Electrical and Electronics Engineers）８０２．１１などで定められる無線ＬＡＮのものであってよい。作業者が作業対象の空調機を物理的に認識しやすいようにする観点からは、近距離無線通信１２は、ＮＦＣなどの近接場型の無線通信であることが好ましい。また、ＮＦＣが、電波により誘導起電力が得られ、通電状態にない空調機２にも設定を行うことを可能であることから、この観点からも、近距離無線通信１２にＮＦＣが用いられることが好ましい。さらに、ＮＦＣを用いる場合は、赤外線や無線ＬＡＮを利用する場合と比較してコストを削減することができるという利点がある。以下、近距離無線通信１２が、ＮＦＣを用いたものであるとして説明を続ける。
【００２４】
図２は、空調機２の構成例を示すブロック図である。なお、図２も、１または複数の実施形態において共通して用いることができる構成例を示すものであり、上述したように、特に断りがない場合は、他の実施形態でも同様の構成を備え得る点に留意されたい。
【００２５】
図２において、空調機２は、主基板２０、副基板２１、冷媒を凝縮させる圧縮機や送風のためのファンなどのアクチュエータなどの負荷２２および装置動作のための電源２３を含み構成される。主基板２０および副基板２１は、それぞれ、第１電源ブロック２００および第２電源ブロック２１０を含む。主基板２０および副基板２１は、ここでは別の基板として参照するが、第１電源ブロック２００および第２電源ブロック２１０を含む単一の基板であってもよい。第２電源ブロック２１０は、電源２３からの電源供給が無くても、近距離無線通信を備える外部装置からの電波による誘導起電力により動作可能なブロックであり、例えばＮＦＣタグにより構成される。
【００２６】
第１電源ブロック２００は、第１制御部２０１、主記憶部２０３、第１記憶部２０２、第２記憶部２０４および空調制御通信部２０５を含む。第１制御部２０１は、例えばマイコンであり、主記憶部２０３は、例えばＤＲＡＭ（Dynamic Random Access Memory）であり、第１記憶部２０２は、例えばＦＬＡＳＨ−ＲＯＭであり、また、第２記憶部２０４は、例えばＥＥＰＲＯＭ（Electrically Erasable Programmable Read-Only Memory）である。空調制御通信部２０５は、空調機ネットワーク３を介して他の空調機２または空調集中制御機６との通信を行う。電源２３から給電されると、第１制御部２０１は、第１記憶部２０２からファームウェアを読出し、主記憶部２０３に展開されたファームウェアに従い、空調機としての動作を行う。このとき、空調機２は、第２記憶部２０４に記憶された通信アドレスに基づいて動作する。
【００２７】
第２電源ブロック２１０は、第２制御部２１１、近距離無線通信部２１３および第３記憶部２１２を含む。近距離無線通信部２１３は、携帯型情報端末７などの外部装置との近距離無線通信を行う。第２制御部２１１は、携帯型情報端末７などの外部装置からの要求や第１電源ブロック２００の第１制御部２０１からの要求に基づいて、第３記憶部２１２にデータを読み込みまたは書き込みをする。第１電源ブロック２００の第１制御部２０１は、第２制御部２１１を介して第３記憶部２１２に通信アドレスを読書きすることができる。第３記憶部２１２には、空調機２に対して設定された通信アドレスが記憶される。通信アドレスは、第１制御部２０１により第３記憶部２１２から読み出されて、第２記憶部２０４にも同様に記憶されてもよい。第１制御部２０１は、起動したことに応答して、第３記憶部２１２に記憶される通信アドレス（同一のものが第２記憶部２０４に記憶され、以降そこから読み出されてもよい。）を読み出すことができる。
【００２８】
図２には、また、空調集中制御機６の構成例も示されており、点線２４で区画された部分を除いたものが空調集中制御機６の構成例となる。空調集中制御機６は、負荷を除いて空調機２と同様の構成を有する。一方で、空調集中制御機６においては、第１記憶部６０２（ここで、空調集中制御機６上の空調機２のものに相当する部分を、符号の上位１桁を２から６に置き換えて参照する。）から読み出し、展開するファームウェアは、空調機としての動作を行うものではなく、空調機に対して集中制御を行うためのものである。また、第３記憶部６１２には、後述するアドレス管理情報が記憶される。アドレス管理情報は、第２記憶部６０４にも同様に記憶されてもよい。図１７（Ａ）は、アドレス管理情報のデータ構造の一例を示す。アドレス管理情報は、各空調機に設定されている通信アドレスおよび設置場所などの属性情報を含む。空調集中制御機６の第１制御部６０１は、アドレス管理情報を参照することにより、設置場所で識別される制御対象の空調機のアドレスを取得し、空調制御通信部６０５を介して制御を行う。
【００２９】
図２には、さらに、遠隔操作機４の構成例も示されており、空調集中制御機６と同様に、点線２４で区画された部分を除いたものが遠隔操作機４の構成例となる。遠隔操作機４においては、第１記憶部４０２（遠隔操作機４上の空調機２の相当部分を、符号の上位１桁を２から４に置き換えて参照する。）から読み出し、展開するファームウェアは、遠隔操作を行うためのものである。また、第３記憶部４１２には、通信アドレスが記憶されてよい。通信アドレスは、第２記憶部４０４にも同様に記憶されてもよい。
【００３０】
図３は、携帯型情報端末７の構成例を示すブロック図である。図３も、図１および図２と同様に、１または複数の実施形態において共通して用いることができる構成例を示す。図３に示す携帯型情報端末７は、制御部７１、主記憶部７２、第１記憶部７３、第２記憶部７４、近距離無線通信部７５およびネットワーク通信部７６を含む。例えば、ＦＬＡＳＨ−ＲＯＭなどの第１記憶部７３に記録したプログラム（オペレーティング・システムや設定支援アプリケーションを含む。）を、ＤＲＡＭなどの主記憶部７２に展開し、マイコンなどの制御部７１は、展開したプログラムにもとづき動作する。
【００３１】
近距離無線通信部７５は、空調機２または空調集中制御機６と近距離無線通信を行う。近距離無線としてＮＦＣが用いられる場合は、携帯型情報端末７は、ＮＦＣのリーダ／ライタ機能を備えることとなる。
【００３２】
ネットワーク通信部７６は、通信ネットワーク８を介して配置情報管理装置９と通信を行う。制御部７１は、ネットワーク通信部７６を介して、配置情報管理装置９から空調機配置情報を取得することができる。あるいは、ネットワーク通信部７６で通信不可な環境においては、例えばＳＤ（登録商標）カードなどの着脱可能な第２記憶部７４へ事前に必要な空調機配置情報を記憶しておくこともできる。この空調機配置情報を用いて、携帯型情報端末７は、後述の空調機２または空調集中制御機６への通信アドレスの設定を行う。
【００３３】
図３に示す携帯型情報端末７は、さらに、入力部７７および表示部７８を含む。入力部７７は、タッチパネルセンサーやボタン、キーボード、マウス、マイクロフォンなどの入力装置を含む。表示部７８は、液晶パネルやＯＥＬ（Organic Electro-Luminescence）パネルなどの表示装置を含む。
【００３４】
図４は、配置情報管理装置９の構成例を示すブロック図である。図４も、図１〜図３と同様に、１または複数の実施形態において共通して用いることができる構成例を示す。図４に示す配置情報管理装置９は、制御部９１、主記憶部９２、ネットワーク通信部９３、空調機配置情報記憶部９４および第２記憶部９５を含む。空調機配置情報記憶部９４には、空調機配置情報９４１を記憶する。制御部９１は、携帯型情報端末７からの要求に応答して、空調機配置情報記憶部９４から空調機配置情報９４１を読み出し、ネットワーク通信部９３を介して、空調機配置情報９４１を送信することができる。また、例えばＳＤ（登録商標）カードなどの着脱可能な第２記憶部９５へ事前に空調機配置情報９４１を複製しておくこともできる。この場合、携帯型情報端末７に第２記憶部９５を装着することにより、携帯型情報端末７に空調機配置情報９４１を取得させることができる。なお、図４には、空調機配置情報記憶部９４に、さらに、アドレス設定情報９４２が描かれているが、これは、第４の実施形態で参照されるものであり、後述する。
【００３５】
図５は、本発明の第１実施形態による空調システム１におけるアドレス設定の処理の流れおよびその主要な構成を説明する図である。空調機ネットワーク３のアドレス設定は、まず、（１）配置情報管理装置９に対する空調機配置情報の入力から始まる。空調機配置情報９４１は、設置する空調機の位置座標および接続する冷媒系統番号をデータ化したものである。空調機配置情報９４１は、例えば、設置対象物件のフロアマップ上の空調機の配置と接続情報などを定義した設計図面データなどに基づいて生成することができる。あるいは、空調機配置情報が手動で作業者により入力されてもよい。
【００３６】
図６（Ａ）は、本発明の特定の実施形態において用いられる空調機配置情報９４１のデータ構造を例示する。図６（Ａ）に示すように、空調機配置情報９４１は、空調機毎のレコードからなり、各レコードにおいては、例えば空調機の装置型式のフィールド９４１ａ、設置位置座標のフィールド９４１ｂ、冷媒系統番号のフィールド９４１ｃ、および、設置場所名のフィールド９４１ｄが含まれる。フィールド９４１ｂには、所定の設置位置座標を示す値、または、所定の設置位置座標の範囲を示す値が保持される。空調機配置情報９４１は、本実施形態において、空調機の設置位置座標などの紐付け情報と、冷媒系統番号などの冷媒系統識別情報と、設置場所名などの属性情報とを対応付ける対応付け情報を構成する。
【００３７】
なお、説明する実施形態では、設置位置座標を紐付け情報の一例として説明するが、紐付け情報は、空調機の設置位置を一意に指定できる限り、特に限定されるものではない。他の実施形態では、紐付け情報は、設置場所名であってもよいし、空調機や配管などの設備に識別情報（タグＩＤ）が付与されて位置を含めた管理がなされているような場合は、空調機識別情報や配管識別情報（タグＩＤ）であってもよい。すなわち、紐付け情報は、配置位置座標、配置場所名、空調機識別情報、配管識別情報の少なくとも１つを含むことができる。また、説明する実施形態では、設置場所名を属性情報の一例として説明するが、属性情報は、装置型式や他の情報を属性情報に含めてもよい。
【００３８】
アドレス設定においては、続いて、（２）携帯型情報端末７が空調機配置情報９４１を取得する。制御部７１は、ネットワーク通信部７６により、配置情報管理装置９から空調機配置情報９４１を受信する。あるいは、必要なデータが記憶された第２記憶部７４が装着されたことに応答して、制御部７１は、装着された第２記憶部７４から空調機配置情報９４１を読み出す。この取得方法は、通信が整備されていない環境で作業を行う場合に有効である。ネットワーク通信部７６または第２記憶部７４は、本実施形態における取得部を構成する。
【００３９】
アドレス設定においては、続いて（３）携帯型情報端末７が作業位置を検出する。位置検出の方法は、特に限定されるものではないが、携帯型情報端末７の表示部７８に表示した画面上でピンを設定したり、空調機のアイコンを選択したりするなどの座標指定により検出することができる。あるいは、携帯型情報端末７が３軸加速度センサや３軸角速度センサなどのモーションセンサを備える場合、作業前に位置を初期化し、これらのセンサ出力に基づいて自動推定により作業にかかる位置（初期位置からの変位）を検出することもできる。加速度センサや角速度センサの情報に加えて、ＧＰＳ（Global Positioning System）やＩＰＳ（Indoor Positioning System）の情報を組み合わせてもよい。
【００４０】
図６（Ｂ）は、位置座標入力画面を例示する図である。作業者は、例えば図６（Ｂ）に示す位置座標入力画面７７１を表示部７８に表示させて、その画面上で、ピン７７２を配置し、これから作業を行う位置の座標指定を行うことができる。ここで作業位置は、これから設定しようとする設定対象の空調機の位置を示す情報であるが、必ずしも、携帯型情報端末７の実際の位置と一致しなくともよい。入力された位置座標を検出する入力部７７、または、センサ出力に基づいて作業位置を推定および検出する制御部７１は、本実施形態における、作業位置座標を指定情報として検出する検出部を構成する。
【００４１】
なお、説明する実施形態では、作業位置座標を指定情報の一例として説明するが、指定情報は、設定対象の空調機一意に指定できる限り特に限定されるものではない。他の実施形態では、各空調機の設置場所に対して個別の名前が付けられているような場合は、指定情報は、設置場所名であってもよい。空調機や配管などの設備にタグＩＤが付与されて位置を含めた管理がなされているような場合は、指定情報は、空調機識別情報や配管識別情報（タグＩＤ）であってもよい。
【００４２】
アドレス設定においては、続いて（４）携帯型情報端末７がアドレス管理情報を生成する。アドレス管理情報は、図１７（Ａ）に示すテーブルの１レコード分のようなものであり、通信アドレスおよび設置場所名を含み構成される。通信アドレスは、典型的には、冷媒系統番号および系統内号機番号を組み合わせたものであり、冷媒系統の冷媒系統識別情報を含み構成される。制御部７１は、取得した空調機配置情報９４１に基づいて、作業位置座標に対応付けされる冷媒系統を判別し、通信アドレスを生成するとともに、生成した通信アドレスに、対応付けられた配置場所名を付加して、アドレス管理情報を生成する。系統内号機番号は、適宜、系統内で採番することができる。制御部７１は、本実施形態における判別部を構成する。
【００４３】
なお、説明する実施形態では、位置座標に基づいて冷媒系統を判別するものとして説明するが、紐付け情報や指定情報は、複数を組み合わせて利用することもできる。この場合、複数の情報に基づいて設定対象の空調機を判別することになるため、より確度の高い判別が可能となる。
【００４４】
アドレス設定においては、続いて（５）携帯型情報端末７が設定対象の空調機２に対しアドレスを書き込む。この際には、作業者は、空調機２の近距離無線通信部２１３のアンテナに対応する部位に、携帯型情報端末７の近距離無線通信部７５のアンテナに対応する部位を接触させればよい。近距離無線通信部７５は、設定対象の空調機２が備える第３記憶部２１２にアクセスするために、相手方空調機２の近距離無線通信部２１３との近距離無線通信を確立する。制御部７１は、近距離無線通信部７５を用いて、確立された近距離無線通信により、アドレス管理情報のうちの少なくとも通信アドレスを空調機２の第３記憶部２１２に書き込む。この書き込みアクセスに基づいて、設定対象の空調機２に対する通信アドレスの設定が行われる。近距離無線通信部７５および制御部７１は、それぞれ、本実施形態における通信部および書込制御部を構成する。また、制御部７１は、本実施形態において、通信アドレスを空調機に設定するためのアドレス書き込み動作を実行する動作実行部を構成し得る。
【００４５】
なお、ここでは、設定対象の空調機に関連した記憶部として、設定対象の空調機２が備える第３記憶部２１２にアクセスすることとしているが、これに代えて、設定対象の空調機２に接続される遠隔操作機４の第３記憶部４１２にアクセスすることとしてもよい。この場合、空調機２が起動したタイミングで、遠隔操作機４の第３記憶部４１２に書き込まれた通信アドレスが、読み出されて、空調機２が備える第３記憶部２１２に書き込まれることとなる。なお、第３記憶部２１２または第３記憶部４１２は、近距離無線通信による誘導起電力に基づいて動作するため、アクセスの際に、空調機２や遠隔操作機４には、必ずしも電源が投入されていることを要さない。
【００４６】
作業者は、携帯型情報端末７を付帯し移動しながら、設置する空調機の数に応じて（３）〜（５）に対応する作業を繰り返し実行する。図５においては、空調機２−１から空調機２−ｎ（ハイフンおよびそれに続く数字で異なる空調機を表している。）まで各空調機２に対し（３）作業位置検出、（４）アドレス管理情報の生成および（５）アドレス書き込みが繰り返される。
【００４７】
アドレス設定においては、続いて（６）携帯型情報端末７が、空調集中制御機６に対しアドレス管理情報を書き込む。近距離無線通信部７５は、空調集中制御機６が備える第３記憶部６１２にアクセスするために、相手方の空調集中制御機６の近距離無線通信部６１３との近距離無線通信を別途確立する。制御部７１は、近距離無線通信部７５を用いて、別途確立された近距離無線通信により、これまで設定し、記憶していた空調機２のアドレス管理情報を一括して空調集中制御機６の第３記憶部６１２に書き込む。
【００４８】
アドレス設定においては、続いて（７）空調集中制御機６が、書き込まれたアドレス管理情報に基づきレイアウト設定を行う。空調集中制御機６は、書き込まれた通信アドレスおよび配置場所名を紐付けて管理する。
【００４９】
なお、上述した説明では、空調集中制御機６にアドレス管理情報を設定するものとして説明したが、遠隔操作機４に対しても、アドレスまたはアドレス管理情報を書き込み、管理させることもできる。
【００５０】
図７は、本発明の第１実施形態による空調システム１において実行される各装置間のやり取りを示すシーケンス図である。図７に示す処理は、ステップＳ１０１から開始され、携帯型情報端末７は、配置情報管理装置９に空調機配置情報９４１を問い合わせる。ステップＳ１０２では、配置情報管理装置９は、携帯型情報端末７に空調機配置情報９４１を応答する。
【００５１】
以下のステップＳ１０３〜Ｓ１０８は、設置する空調機２毎に繰り返し実施される。ステップＳ１０３では、携帯型情報端末７は空調機２の第２電源ブロック２１０に、近距離無線通信で接続する。ステップＳ１０４では、空調機２の第２電源ブロック２１０は、携帯型情報端末７からの誘導起電力により動作し、応答する。ステップＳ１０５では、携帯型情報端末７は、現在の作業位置を検出する。ステップＳ１０６では、携帯型情報端末７は、アドレス管理情報を生成する。ステップＳ１０７では、携帯型情報端末７は、確立された近距離無線通信を介して、決定した通信アドレスを空調機２の第３記憶部２１２に書き込む。ステップＳ１０８では、空調機２の第２電源ブロック２１０は、書込み済を応答する。
【００５２】
なお、図７に示すシーケンス図では、ステップＳ１０３およびステップＳ１０４で通信接続を行った後に、作業位置の検出（Ｓ１０５）、アドレス管理情報の生成（Ｓ１０６）およびアドレス書き込み（Ｓ１０７，Ｓ１０８）を行うものとして説明した。これは、作業位置を自動推定する場合に好適であるが、画面上での位置座標の指定を行う場合などは、ステップＳ１０３およびステップＳ１０４の通信接続をステップＳ１０５またはステップＳ１０６の後にしてもよい。
【００５３】
ステップＳ１０３〜Ｓ１０８が必要な空調機の分だけ繰り返し実施されると、ステップＳ１０９で、携帯型情報端末７は、空調集中制御機６の第２電源ブロック６１０に近距離無線通信で接続する。ステップＳ１１０では、空調集中制御機６の第２電源ブロック６１０は、携帯型情報端末７からの誘導起電力により動作し、応答する。ステップＳ１１１では、携帯型情報端末７は、確立された近距離無線通信を介して、ス生成したアドレス管理情報を空調集中制御機６の第３記憶部６１２に書き込む。ステップＳ１１２では、空調集中制御機６が書込み済を応答する。
【００５４】
以降は、各空調機２および空調集中制御機６の設置後の試運転などにおけるシーケンスである。
【００５５】
ステップＳ１１３では、空調機２は、通電され、第１電源ブロック２００に給電される。ステップＳ１１４では、空調機２は、起動する。ステップＳ１１５では、空調機２の第１制御部２０１は、第２制御部２１１に通信アドレスを問い合わせる。ステップＳ１１６では、空調機２の第２制御部２１１は、第３記憶部２１２から読み出した通信アドレスを応答する。以降、空調機２は、応答された通信アドレスに基づいて動作する。必要に応じて、通信アドレスが、第２記憶部２０４に記憶される。
【００５６】
ステップＳ１１７では、空調集中制御機６は、通電され、第１電源ブロック６００に給電される。ステップＳ１１８では、空調集中制御機６は、起動する。ステップＳ１１９では、空調集中制御機６の第１制御部６０１は、第２制御部６１１にアドレス管理情報を問い合わせる。ステップＳ１２０では、空調集中制御機６の第２制御部６１１は、第３記憶部６１２から読み出した１または複数の空調機のアドレス管理情報を応答する。以降、空調集中制御機６は、応答されたアドレス管理情報に基づいて制御を行う。
【００５７】
なお、上述した説明では、ステップＳ１０１およびステップＳ１０２で、携帯型情報端末７が空調機配置情報９４１を取得し、Ｓ１０５およびＳ１０６の処理は、携帯型情報端末７が実行するものとして説明した。携帯型情報端末７が行う方が、配置情報管理装置９と独立して作業を行える観点から有用である。しかしながら、他の実施形態では、ステップＳ１０５やＳ１０６の処理を、逐次、配置情報管理装置９と通信し、配置情報管理装置９で行うようにしてもよい。つまり、特定の実施形態では、配置情報管理装置９が設定支援装置を構成してもよい。この場合、配置情報管理装置９がアドレス管理情報を携帯型情報端末７に伝達する動作が、通信アドレスを空調機２に設定するための動作となる。
【００５８】
また、説明する実施形態では、携帯型情報端末７から近距離無線通信１２を介して空調機２に通信アドレスを書き込むものとしているが、上述したように、空調機２の代わりに、空調機２に接続する遠隔操作機４の第３記憶部４１２に書き込むようにしてもよい。その場合、空調機２は、図７のステップＳ１１５で自身に接続された遠隔操作機４から通信アドレスを読み込む。
【００５９】
図８は、本発明の第１実施形態による携帯型情報端末７が実行する動作を示すフローチャートである。図８に示す処理は、例えば、作業者が、携帯型情報端末７の画面上で、空調機の設置作業を開始する操作を行ったことに応答して、ステップＳ２００から開始される。ステップＳ２０１では、制御部７１は、ネットワーク通信部７６を用いて、配置情報管理装置９に空調機配置情報９４１を問い合わせ、取得する。ステップＳ２０２では、制御部７１は、近距離無線通信部７５を用いて、空調機２の第２電源ブロック２１０に通信接続する。ステップＳ２０３では、制御部７１は、空調機２の応答が対象装置からのものか否かを、例えば装置型式の一致により確認する。ステップＳ２０３で、対象装置からの応答ではないと判断された場合（ＮＯ）は、制御部７１は、ステップＳ２０４で、エラー通知を行い、ステップＳ２０２へ処理を戻し、対象の装置との通信接続を待ち受ける。
【００６０】
一方、ステップＳ２０３で対象装置からの応答であると判断した場合（ＹＥＳ）は、ステップＳ２０５へ処理が進められる。ステップＳ２０５では、制御部７１は、現在の作業位置を検出する。ステップＳ２０６では、制御部７１は、配置情報管理装置９から取得した空調機配置情報９４１を参照し、現在の作業位置に適合する設置位置座標を検索し、該当する空調機の冷媒系統番号を用いて、アドレスを決定し、アドレス管理情報を生成する。このとき、例えば、冷媒系統番号の中で系統内号機番号をインクリメントすることにより、一意のアドレスを生成することができる。例えば、図６（Ａ）に示す例の空調機配置情報が与えられた場合において、現在作業位置（３，６）が検知されたとき、２番目の配置位置座標（３，６）に対応付けられた冷媒系統番号「０」が取得され、例えば通信アドレス「０−００１」が決定される。そして、通信アドレスに配置場所名「Ａ棟５階５０２」が付加される。
【００６１】
ステップＳ２０７では、制御部７１は、確立された近距離無線通信により、生成した通信アドレスを空調機２の第３記憶部２１２に書き込む。この書き込み動作は、本実施形態において、通信アドレスを空調機２に設定するための動作となる。ステップＳ２０８では、制御部７１は、通信アドレスが正常に書き込まれたか確認する。ステップＳ２０８で書き込みに失敗したと判断された場合（ＮＯ）、制御部７１は、ステップＳ２０４で、エラー通知を行い、ステップＳ２０２へ処理を戻し、当該空調機について操作を最初からやり直す。
【００６２】
一方、ステップＳ２０８で書き込みが成功したと判断された場合（ＹＥＳ）、制御部７１は、ステップＳ２０９へ処理を進め、設定すべき全空調機について通信アドレスを書き込まれたかを判断する。ステップＳ２０９で、設定すべき未設定の空調機が未だ有ると判断された場合（ＮＯ）は、ステップＳ２０２へループさせて、次の空調機との通信接続を待ち受ける。
【００６３】
一方、ステップＳ２０９で、設定すべき全空調機について通信アドレスが書き込まれたと判断された場合（ＹＥＳ）は、ステップＳ２１０へ処理が分岐される。この際に、例えば、携帯型情報端末７の画面上に、空調集中制御機６に書き込みを行うことを促す通知がなされてもよい。ステップＳ２１０では、制御部７１は、近距離無線通信部７５を用いて、空調集中制御機６の第２電源ブロック６１０に通信接続する。ステップＳ２１１では、制御部７１は、空調集中制御機６の第２電源ブロック６１０の応答を確認する。ステップＳ２１１で応答を確認できなかった場合（ＮＯ）、制御部７１は、ステップＳ２１４で、エラー通知を行い、ステップＳ２１０へ処理を戻し、空調集中制御機６との通信接続を待ち受ける。
【００６４】
一方、ステップＳ２１１で空調集中制御機６からの応答を確認できた場合（ＹＥＳ）は、ステップＳ２１２へ処理が進められる。ステップＳ２１２では、制御部７１は、全空調機について生成したアドレス管理情報を空調集中制御機６の第３記憶部６１２に書き込む。ステップＳ２１３では、制御部７１は、アドレス管理情報が正常に書き込まれたか確認する。ステップＳ２１３で、アドレス管理情報が正常に書き込まれなかったと判定された場合（ＮＯ）は、制御部７１は、ステップＳ２１４でエラー通知を行い、ステップＳ２１０へ処理を戻し、空調集中制御機６との通信を最初からやり直す。ステップＳ２１３で、アドレス管理情報が正常に書き込まれたと判定された場合（ＹＥＳ）は、ステップＳ２１５で本処理が終了する。
【００６５】
なお、上述した図８のフローチャートでは、エラー通知後も作業を継続できる態様としているが、これに限定されるものではない。例えば、エラー通知後に、作業者が全作業を中止できるように構成することもできる。
【００６６】
図９は、本発明の第１実施形態による空調機２が実行する動作を示すフローチャートである。図９に示す処理は、例えば、空調機２に通電されたことに応答して、ステップＳ３００から開始される。ステップＳ３０１では、空調機２は、通電され、初期起動を行う。ステップＳ３０２では、第１制御部２０１は、第２制御部２１１を介して、第３記憶部２１２より通信アドレスを読出す。ステップＳ３０３では、第１制御部２０１は、通信アドレスが設定されているかを確認する。ステップＳ３０３で、通信アドレスが設定済みであると判定された場合（ＹＥＳ）は、ステップＳ３０４で、第１制御部２０１は、読み出した通信アドレスにしたがって動作を開始し、ステップＳ３０６で本処理を終了させる。一方、正しい情報を読み出せない場合など通信アドレスが未設定であると判定された場合（ＮＯ）は、ステップＳ３０５で、第１制御部２０１は、エラー通知やログ記録を行い、ステップＳ３０６で本処理を終了する。
【００６７】
図１０は、本発明の第１実施形態による空調集中制御機６が実行する動作を示すフローチャートである。図１０に示す処理は、例えば、空調集中制御機６に通電されたことに応答して、ステップＳ４００から開始される。ステップＳ４０１では、空調集中制御機６は、通電され、初期起動を行う。ステップＳ４０２では、第１制御部６０１は、第２制御部６１１を介して、第３記憶部６１２よりアドレス管理情報を読出す。ステップＳ４０３では、第１制御部６０１は、アドレス管理情報が設定されているかを確認する。ステップＳ４０３で、アドレス管理情報が設定済みであると判定された場合（ＹＥＳ）は、ステップＳ４０４で、第１制御部６０１は、読み出したアドレス管理情報に従って動作を開始し、ステップＳ４０６で本処理を終了させる。一方、正しい情報を読み出せない場合などアドレス管理情報が未設定であると判定された場合（ＮＯ）は、ステップＳ４０５で、第１制御部６０１は、エラー通知やログ記録を行い、ステップＳ４０６で本処理を終了する。
【００６８】
以上説明したように、本実施形態によれば、携帯型情報端末７が、作業位置を検出し、空調機配置情報９４１に基づいて、作業位置に対応付けられる冷媒系統番号を判別した上で通信アドレスを決定する。このため、空調機ネットワーク３内に複数の冷媒系統が混在する場合であっても、簡便かつ誤り無く、適切な通信アドレスを空調機２に設定することが可能となる。
【００６９】
また、空調機ネットワーク内における空調機間の通信のためアドレス設定は、従来、各空調機の基板に設けた、ディップスイッチやロータリスイッチなどの機構部品を用いて行われている場合がある。従来のスイッチなどによるアドレス設定は、煩雑で設定誤りが起き易く、実装コストもかかってしまう。また、ディップスイッチやロータリスイッチを用いる場合、電源が切断された情報で設定を行う必要がある。これに対し、上述した実施形態では、携帯型情報端末７から近距離無線通信１２を介して空調機２のアドレス設定をすることができる。これにより、基板上のスイッチが不要となるため、基板実装コストを削減することが可能となる。また、上述した実施形態では、携帯型情報端末７が送信する電波を用いて空調機２の第２電源ブロック２１０が誘導起電力により動作する。このため、空調機設置前の空調機２の電源が切断されている状態でも、アドレス設定を実施することが可能となる。
【００７０】
さらに、上述した実施形態では、携帯型情報端末７から近距離無線通信１２を介して空調集中制御機６や遠隔操作機４に対し、各空調機２の通信アドレスまたはアドレス管理情報を設定することができる。このため、空調集中制御機６は、各空調機２を集中制御することが可能となり、遠隔操作機４も接続された空調機を管理することが可能となる。
【００７１】
［第２実施形態］
以上説明した第１実施形態では、空調集中制御機６に対するアドレス管理情報の伝達は、携帯型情報端末７から近距離無線通信１２を介して行っていた。ところで、各空調機２に対するアドレス設定が完了すれば、各空調機２と空調集中制御機６とは、空調機ネットワークにより通信が可能となる。このため、アドレス管理情報の伝達は、近距離無線通信１２に代えて、空調機ネットワーク３を介して行ってもよい。以下、アドレス管理情報の伝達が、設定が完了した空調機２から空調機ネットワークを介して行われる、第２実施形態について説明する。
【００７２】
図１１は、本発明の第２実施形態による空調システム１におけるアドレス設定の処理の流れおよびその主要な構成を説明する図である。処理（１）〜（４）は、図５を参照して説明した第１実施形態と同様であるので説明を割愛する。
【００７３】
アドレス設定においては、処理（１）〜（４）が完了すると、続いて、（５）携帯型情報端末７が設定対象の空調機２に対しアドレス管理情報を書き込む。制御部７１は、近距離無線通信部７５を用いて、確立された近距離無線通信により、対応する配置場所名を通信アドレスに付加して生成したアドレス管理情報を、空調機２の第３記憶部２１２に書き込む。空調機２側では、この書き込みアクセスに基づいて、第２電源ブロック２１０が動作し、第２制御部２１１が、要求された通信アドレスおよび配置場所名を第３記憶部２１２に記憶する。これにより、空調機２に対する通信アドレスの設定が行われるとともに、配置場所名などの属性情報も空調機２に保持される。近距離無線通信部７５および制御部７１は、それぞれ、本実施形態における通信部および書込制御部を構成する。
【００７４】
作業者は、携帯型情報端末７を付帯し移動しながら、設置する空調機の数に応じて（３）〜（５）に対応する作業を繰り返し実行し、その後、設置した空調機２を通電させる。
【００７５】
以降、（６）起動した空調機２は、空調機ネットワーク３を介してアドレス管理情報を送信する。第３記憶部２１２に記憶されたアドレス管理情報は、起動後、適宜、読み出されて、第１電源ブロック２００の第２記憶部２０４に記憶される。第１制御部２０１は、空調集中制御機６からの問い合わせに応答して、空調制御通信部２０５を用いて、空調集中制御機６にアドレス管理情報を送信する。
【００７６】
そして、（７）空調集中制御機６は、収集した１または複数の空調機のアドレス管理情報に基づきレイアウト設定を行う。空調集中制御機６は、収集した通信アドレスおよび配置場所名を紐付けて管理する。
【００７７】
図１２は、本発明の第２実施形態による空調システム１において実行される各装置間のやり取りを示すシーケンス図である。図１２に示すステップＳ５０１〜Ｓ５０６の処理は、図７に示したステップＳ１０１〜Ｓ１０６の処理と同様であるため説明を割愛する。ステップＳ５０７では、携帯型情報端末７は、確立された近距離無線通信を介して、生成したアドレス管理情報を空調機２の第３記憶部２１２に書き込む。ステップＳ５０８では、空調機２の第２電源ブロック２１０は、書込み済を応答する。
【００７８】
以降は、各空調機２および空調集中制御機６の設置後の試運転などにおけるシーケンスである。
【００７９】
空調機２は、ステップＳ５０９で通電され、ステップＳ５１０で起動する。ステップＳ５１１では、空調機２の第１制御部２０１は、第２制御部２１１にアドレス管理情報を問い合わせる。ステップＳ５１２では、空調機２の第２制御部２１１は、第３記憶部２１２から読み出したアドレス管理情報を応答する。以降、空調機２は、応答されたアドレス管理情報内の通信アドレスに基づいて動作する。
【００８０】
空調集中制御機６は、ステップＳ５１３で通電され、ステップＳ５１４で、起動する。ステップＳ５１５では、空調集中制御機６の第１制御部６０１は、空調制御通信部２０５を用いて、空調機ネットワーク３を介して空調機２にアドレス管理情報を問い合わせる。ステップＳ５１６では、空調機２は、アドレス管理情報を応答する。なお、ステップＳ５１５の問い合わせは、空調機ネットワーク３内のすべての空調機２に対して個別に、またはブロードキャストで行われる。空調集中制御機６は、各空調機２からアドレス管理情報の応答を受け取り、第２記憶部６０４に記憶する。空調集中制御機６の第１制御部６０１は、ステップＳ５１７で、受け取った１または複数のアドレス管理情報を収集し、ステップＳ５１８で、１または複数のアドレス管理情報に基づいてレイアウト設定を行う。
【００８１】
なお、上述した説明では、空調集中制御機６にアドレス管理情報を設定するものとして説明したが、遠隔操作機４に対しても、アドレスまたはアドレス管理情報を書き込み、管理させることもできる。また、上述した実施形態では、空調集中制御機６のため、通信アドレスに関連付けて設置場所名を管理するものとして説明した。しかしながら、空調機ネットワーク３に空調集中制御機６を設けない比較的小規模な環境においては、設置場所名の管理は必須ではない。その場合、空調機配置情報９４１で設置場所名が対応づけられていなくともよいし、空調機２は、自身に設定されたアドレスを送信し、遠隔操作機４は、受信したアドレスを登録する。
【００８２】
なお、携帯型情報端末７が実行する動作は、図８に示すフローチャートにおいて、ステップＳ２０９の判定が肯定的であった場合（ＹＥＳ）に、直接ステップＳ２１５へ分岐させたものとなる。
【００８３】
［第３実施形態］
以上説明した第１および第２実施形態では、携帯型情報端末７と空調機２との近距離無線通信は、アドレスまたはアドレス管理情報を書き込むアクセスであった。ところで、ＮＦＣなどのタグでは、タグ固有の識別情報を保持しており、この固有の識別情報を読み出すことで、各空調機２に対するアドレス設定を行ってもよい。以下、読み込みアクセスに基づいて各空調機２に対するアドレス設定が行われる、第３実施形態について説明する。
【００８４】
図１３は、本発明の第３実施形態による空調システム１におけるアドレス設定の処理の流れおよびその主要な構成を説明する図である。処理（１）〜（３）は、図５を参照して説明した第１実施形態と同様であるので説明を割愛する。
【００８５】
アドレス設定においては、処理（１）〜（３）が完了すると、続いて（４）携帯型情報端末７が設定対象の空調機２からタグＩＤを読み込む。制御部７１は、近距離無線通信部７５を用いて、確立された近距離無線通信により、空調機２の第３記憶部２１２からタグＩＤを読み込む。ここで、タグＩＤは、一般的には、書換不可の固有の識別情報であり、空調機２を固有に識別する。この読み込みアクセスに基づいて、後述するように、設定対象の空調機２に対する通信アドレスの設定が間接的に実現される。近距離無線通信部７５および制御部７１は、それぞれ、本実施形態における通信部および読込制御部を構成する。
【００８６】
アドレス設定においては、続いて（５）携帯型情報端末７が空調機設定情報を生成する。空調機設定情報は、読み込んだタグＩＤなどの固有の識別情報と、冷媒系統番号などの冷媒系統識別情報と、設置場所名などの属性情報とを含み構成される。ここでは、通信アドレスは、生成されてもよいが、生成されなくともよい。制御部７１は、取得した空調機配置情報９４１に基づいて、作業位置座標に対応付けされる冷媒系統番号を判別し、対応する配置場所名を取得し、これらをタグＩＤに付加して、空調機設定情報を生成する。制御部７１は、本実施形態における判別部を構成する。
【００８７】
作業者は、携帯型情報端末７を付帯し移動しながら、設置する空調機の数に応じて（３）〜（５）に対応する作業を繰り返し実行する。
【００８８】
アドレス設定においては、続いて（６）携帯型情報端末７が、空調集中制御機６に対し空調機設定情報を書き込む。近距離無線通信部７５は、空調集中制御機６が備える第３記憶部６１２にアクセスするために、相手方の空調集中制御機６の近距離無線通信部６１３との近距離無線通信を別途確立する。制御部７１は、近距離無線通信部７５を用いて、別途確立された近距離無線通信により、これまで設定した空調機２の空調機設定情報を空調集中制御機６の第３記憶部６１２に書き込む。この空調機設定情報を空調集中制御機６に渡すための書き込み動作が、本実施形態において、通信アドレスを空調機２に設定させるための契機となる動作となり、制御部７１は、本実施形態において、動作実行部を構成し得る。
【００８９】
アドレス設定においては、続いて（７）空調集中制御機６が、渡された空調機設定情報に基づきアドレス割当を行う。第１制御部６０１は、取得した空調機設定情報内の冷媒系統と、採番した系統内号機番号とを組み合わせて通信アドレスを生成するとともに、生成した通信アドレスに、取得した空調機設定情報内の設置場所名を紐付ける。
【００９０】
（８）空調集中制御機６は、生成した通信アドレスおよび設置場所名に基づいて、レイアウト設定を行う。空調集中制御機６は、生成した通信アドレスおよび配置場所名を紐付けて管理する。
【００９１】
アドレス設定においては、続いて（９）空調集中制御機６が、空調機ネットワーク３を介して各空調機２に通信アドレスを設定させる。第１制御部６０１は、空調制御通信部２０５を用いて、空調機ネットワーク３を介し、各空調機２にタグＩＤに基づいて通信アドレスを伝達し、第２記憶部２０４に通信アドレスを書き込ませる。第１制御部６０１は、本実施形態における設定制御部を構成する。第３実施形態においては、携帯型情報端末７ではなく空調集中制御機６が設定制御部を備えることになる。
【００９２】
図１４は、本発明の第３実施形態による空調システム１において実行される各装置間のやり取りを示すシーケンス図である。図１４に示す処理は、ステップＳ６０１から開始され、携帯型情報端末７は、配置情報管理装置９に空調機配置情報９４１を問い合わせ、ステップＳ６０２で、空調機配置情報９４１の応答を受ける。
【００９３】
以下のステップＳ６０３〜Ｓ６０８は、設置する空調機毎に繰り返し実施される。ステップＳ６０３では、携帯型情報端末７は、現在の作業位置を検出する。ステップＳ６０４では、携帯型情報端末７は空調機２の第２電源ブロック２１０に、近距離無線通信で接続する。ステップＳ６０５では、空調機２の第２電源ブロック２１０は、携帯型情報端末７からの誘導起電力により動作し、応答する。ステップＳ６０６では、携帯型情報端末７は、確立された近距離無線通信を介して、空調機の第３記憶部２１２からタグＩＤを読み込むために、ＩＤの問い合わせを行う。ステップＳ６０７では、空調機２の第２電源ブロック２１０は、携帯型情報端末７に対し、タグＩＤを応答する。ステップＳ６０８では、携帯型情報端末７は、空調機設定情報を生成する。
【００９４】
ステップＳ６０３〜Ｓ６０８が必要な空調機の分だけ繰り返し実施されると、ステップＳ６０９で、携帯型情報端末７は、近距離無線通信を介して、各空調機２に対し生成した空調機設定情報を空調集中制御機６の第３記憶部６１２に書き込む。ステップＳ６１０では、空調集中制御機６が書込み済を応答する。
【００９５】
空調機２は、ステップＳ６１１で通電され、ステップＳ６１２で起動する。空調集中制御機６は、ステップＳ６１３で通電され、ステップＳ６１４で起動する。ステップＳ６１５では、空調集中制御機６の第１制御部６０１は、第２制御部６１１に空調機設定情報を問い合わせる。ステップＳ６１６では、空調集中制御機６の第２制御部６１１は空調機設定情報を応答する。ステップＳ６１７では、空調集中制御機６の第１制御部６０１は、アドレス割り当てを行う。ステップＳ６１８では、空調集中制御機６の第１制御部６０１は、空調制御通信部６０５を用いて空調機ネットワーク３を介して、例えばブロードキャストによって、各空調機２に対しタグＩＤを付加した通信アドレスを伝達する。ステップＳ６１９では、空調機２は、自身のタグＩＤが付加された通信アドレスを書き込み、書込み済を応答する。ステップＳ６２０では、空調集中制御機６の第１制御部６０１は、生成した空調機設定情報および通信アドレスに基づいてレイアウト設定を行う。
【００９６】
なお、携帯型情報端末７が実行する動作は、図８に示すフローチャートと、一部の構成を除き同様のものとなる。より具体的には、ステップＳ２０６およびＳ２０７の処理に代えて、タグＩＤの読み出しおよび空調機設定情報の生成が行われる。また、ステップＳ２０８では、書き込みの成功に代えて読み込みの成功が判定される。ステップＳ２１２では、アドレス管理情報に代えて、空調機設定情報の書き込みが行われる。
【００９７】
［第４実施形態］
複数の作業者によりそれぞれの携帯型情報端末７を用いて分担して空調機の設置作業を行う場合、異なる作業者が同じ空調機２にアドレス設定を行ってしまう蓋然性があり、設定済みの空調機２を識別し、アドレスの重複設定を予防することが好ましい。また、説明した第１〜第３実施形態では、通信アドレスを構成する一部の情報（系統内号機番号）が、システムにより自動で採番されたものであった。このため、複数の作業者が分担して空調機の設置作業を行う場合、設定済みの号機内番号との重複を検知し、アドレスの重複設定の蓋然性を軽減することが好ましい。以下、このようなアドレスの重複設定の蓋然性を軽減することができる第４実施形態について説明する。
【００９８】
ここで、再び図４を参照する。図４は、第４実施形態における配置情報管理装置９の構成例も示す。図４に示すように、空調機配置情報記憶部９４は、さらに、アドレス設定情報９４２を格納する。
【００９９】
図１７（Ｂ）は、アドレス設定情報９４２のデータ構造を例示する。図１７（Ｂ）に示すように、アドレス設定情報９４２は、各空調機２の第３記憶部２１２に記憶されているＩＤのフィールド９４２ａおよび通信アドレスのフィールド９４２ｂを含む。ＩＤは、例えばＮＦＣのタグＩＤであり、装置毎に一意で書換不可である。そして通信アドレスは、ＩＤで識別される空調機に設定された通信アドレスである。
【０１００】
なお、説明する実施形態では、アドレス設定情報９４２が空調機２のＩＤおよび通信アドレスの両方を記憶するものとして説明する。しかしながら、同一空調機に対する重複設定を防止する観点からは、設定を行った各空調機２のＩＤが記録されていれば充分である。一方、同一アドレスの重複設定を防止するためであれば、各空調機２に設定されたアドレスが記録されていれば充分である。
【０１０１】
制御部９１は、外部装置からのＩＤを伴う問い合わせに応じて、アドレス設定情報９４２に該当するＩＤが既に登録されている場合は、アドレスの重複設定が発生したとし、該当ＩＤが設定済みである旨を応答する。また、制御部９１は、外部装置からのアドレスを伴う問い合わせに応じて、アドレス設定情報９４２内に該当アドレスが既に登録されている場合は、アドレスの重複設定が発生したとし、同一アドレス設定済みである旨を応答する。
【０１０２】
第４実施形態においては、空調機配置情報記憶部９４が、空調機２に設定した通信アドレスおよび空調機の識別情報の一方または両方を記録する記録部を構成する。そして、制御部９１が記録された情報に基づいて、アドレスの重複設定を検知する重複検知部を構成する。
【０１０３】
図１５は、本発明の第４実施形態による空調システム１において実行される各装置間のやり取りを示すシーケンス図である。なお、図１５に示すシーケンス図は、図７に示すシーケンス図と共通する部分が多いため、共通する部分は同一のステップ番号を用い、差分となるステップを中心に説明する。
【０１０４】
図１５は、図７と比較して、ステップＳ１０４と，Ｓ１０５の間に、ステップＳ７０１〜Ｓ７０４が挿入されている点で異なる。ステップＳ７０１では、携帯型情報端末７は、空調機２の第３記憶部２１２に記憶されているＩＤを問い合わせる。ステップＳ７０２では、空調機２は、ＩＤを応答する。ステップＳ７０３では、携帯型情報端末７は取得したＩＤに対応するアドレス設定状態を配置情報管理装置９に問い合わせる。ステップＳ７０４では、配置情報管理装置９は、アドレス設定情報９４２を参照し、アドレス設定状態を応答する。アドレス設定状態としては、「該当ＩＤ未設定」または「該当ＩＤ設定済」のいずれか応答される。ここでは、アドレス設定状態「該当ＩＤ未設定」が応答されたものとして説明を続ける。
【０１０５】
また、図１５は、図７と比較して、ステップＳ１０８，Ｓ１０９の間に、ステップＳ７０５〜Ｓ７０６が挿入されている点で異なる。ステップＳ７０５では、携帯型情報端末７は、空調機２のアドレス書き込み成功後に、空調機２のＩＤと設定した通信アドレスを配置情報管理装置９に登録依頼する。Ｓ７０６では、配置情報管理装置９は、アドレス設定情報９４２に空調機２のＩＤと設定された通信アドレスを登録し、応答する。なお、この際に、同一アドレスが既に登録済みであった場合は、配置情報管理装置９は、否定的な応答を返し、携帯型情報端末７は、ステップＳ１０６からやり直せばよい。あるいは、他の実施形態では、ステップＳ１０６とステップＳ１０７の間にステップＳ７０５〜Ｓ７０６が行われてもよい。
【０１０６】
図１６は、本発明の第４実施形態による携帯型情報端末７が実行する動作を示すフローチャートである。なお、図１６に示すフローチャートは、図８に示すフローチャートと共通する部分が多いため、共通する部分は同一のステップ番号を用い、差分となるステップを中心に説明する。
【０１０７】
図１６は、図８と比較すると、ステップＳ２０３の判定で肯定的な結果となった場合（ＹＥＳ）に、ステップＳ８０１〜Ｓ８０３が挿入されて、ステップＳ８０２の判定で否定的な結果となった場合（ＮＯ）にステップＳ２０５へ分岐するよう構成されている点で異なる。ステップＳ８０１では、携帯型情報端末７は、空調機２の第２電源ブロック２１０にＩＤを問い合わせて、ＩＤを取得する。ステップＳ８０２では、携帯型情報端末７は、取得したＩＤについて、アドレスが設定されているか否かを、配置情報管理装置９に問い合わせる。ステップＳ８０２でアドレス設定済であると判定された場合（ＹＥＳ）は、ステップＳ８０３で、携帯型情報端末７は、表示部７８により表示画面にアドレス設定済通知を行う。ステップＳ８０２でアドレス未設定であると判定された場合（ＮＯ）は、ステップＳ２０５へ分岐させる。
【０１０８】
図１６は、図８と比較すると、さらに、ステップＳ２０８の判定で肯定的な結果となった場合（ＹＥＳ）に、ステップＳ８０４へ分岐し、その後にステップＳ２０９へ進めるよう構成されている点で異なる。ステップＳ８０４では、携帯型情報端末７は、空調機２のＩＤと設定した通信アドレスを配置情報管理装置９に登録依頼する。なお、図示しないが、この際に、同一アドレスが既に登録済みであった場合は、携帯型情報端末７は、ステップＳ２０６からやり直すように構成することができる。あるいは、他の実施形態では、ステップＳ２０６とステップＳ２０７の間で配置情報管理装置９に通信アドレスの事前登録依頼を行うこととしてもよい。
【０１０９】
以上説明した第４実施形態によれば、配置情報管理装置９は、各空調機のアドレス設定情報９４２を記憶し、携帯型情報端末７は、アドレスの設定重複がない場合にだけアドレス設定を行うよう構成されている。このため、複数の携帯型情報端末７を用いて分担して空調機２にアドレスを設定する場合でも、アドレスの設定重複の蓋然性を好適に低減することができる。
【０１１０】
［他の実施形態］
本発明の実施形態として、さらに種々の変形例が考えられる。上述した実施形態では、通信アドレスを構成する一部の情報（系統内号機番号）は、システムにより自動的に作番されるものとして説明した。しかしながら、他の実施形態では、系統内号機番号をユーザ入力に基づいて生成してもよい。また、上述した実施形態では、アドレスに関連付ける設置場所名も、事前に空調機配置情報９４１内で定義されるものとして説明した。しかしながら、作業位置の検知の際に併せて作業者に設置場所名を入力するよう求めることとしてもよい。その際の系統内号機番号や設置場所名の入力方法も特に限定されるものではない。例えば、表示画面に配置場所名や系統内号機番号の選択肢を例えばプルダウンメニューなどのＧＵＩ（Graphical User Interface）などを用いて表示し、選択肢の中から選択を受けることとしてもよい。あるいは、他の特定の実施形態では、表示画面でソフトウェア／ハードウェアキーボードを用いて配置場所名や系統内号機番号が直接入力されてもよい。さらに他の実施形態では、音声認識に基づいて配置場所名や系統内号機番号が入力されてもよい。
【０１１１】
図１８は、本発明の複数の実施形態による配置場所名および系統内号機番号の入力方法を例示するブロック図である。
【０１１２】
図１８（Ａ）に示すアドレス設定メニュー画面７８１では、配置場所名の選択を受け付けるプルダウンメニュー７８１ａと、所定の系統内号機番号を含むアドレス（ここでは異なる系統内号機番号のアドレスが選択できないようになっている。）の選択肢を受け付けるプルダウンメニュー７８１ｂとを含む。
【０１１３】
図１８（Ｂ）に示すアドレス設定入力画面７８２では、配置場所名の入力を受けるテキストボックス７８２ａと、所定の系統内号機番号を含むアドレス（ここでは系統内号機番号の編集ができないようになっている。）の入力を受けるテキストボックス７８２ｂと、ソフトウェア・キーボード７８２ｃとを含む。
【０１１４】
図１８（Ｃ）に示すアドレス設定音声入力画面７８３では、配置場所名の入力を受けるテキストボックス７８２ａと、所定の系統内号機番号を含むアドレス（ここでは系統内号機番号の編集ができないようになっている。）の入力を受けるテキストボックス７８２ｂと、音声入力を促すアイコン７８３ｃとを含む。
【０１１５】
なお、ここでは、配置場所名を入力するための方法を説明したが、上述したように、指定情報としての空調機識別情報または配管識別情報も同様の入力方法で入力することができる。
【０１１６】
以上説明したように、上述した実施形態によれば、空調機ネットワークにおいて、空調機に対し、その冷媒系統識別情報に応じたアドレスを効率良く設定することを可能とする設定支援システム、設定支援装置、設定支援方法、プログラムおよび空調機が提供される。
【０１１７】
なお、本発明の実施形態は、上記した実施形態に限定されるものではなく、様々な変形例が含まれ得る。例えば、上記した実施形態は、分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【０１１８】
さらに、本開示においては、上述した目的の他、基板実装コストを減らすことおよび空調機の電源切断時にもアドレスを設定することを主たる目的として、さらなる他の構成の追加・削除・置換をすることが可能である。この目的においては、携帯型情報端末７は、必ずしも現在の作業位置を検出し、空調機配置情報９４１を参照し、冷媒系統番号を判別してアドレスを決定しなくてもよい。すなわち、携帯型情報端末７が、作業者の画面操作または音声操作を受けつけ、直接アドレスを決定するようにしても良い。例えば、図１８（Ａ）で示した設定メニュー画面において、作業者が画面上のプルダウンリストから空調機の設置場所名および冷媒系統も含むアドレスを選択するようにしてもよい。また、図１８（Ｂ）に示すアドレス設定入力画面において、作業者が画面上のソフトキーボードから空調機の設置場所名および冷媒系統も含むアドレスを入力するようにしてもよい。また、図１８（Ｃ）に示す音声入力画面から、作業者の音声に基づいて、空調機の設置場所名および冷媒系統も含むアドレスを認識するようにしてもよい。
【０１１９】
また上記の各構成、機能、処理部、処理手段等の一部または全部は、例えば集積回路で設計するなどによりハードウェアで実現してもよい。さらに、上記の各構成、機能等の一部または全部は、アセンブラ、Ｃ、Ｃ＋＋、Ｃ＃、Ｊａｖａ（登録商標）などのレガシープログラミング言語やオブジェクト指向プログラミング言語などで記述された、プロセッサがそれぞれの機能を実現するコンピュータ実行可能なプログラムにより実現でき、各機能を実現するプログラム、テーブル、ファイルなどの情報は、ＨＤＤ（Hard Disk Drive）やＳＳＤ（Solid State Drive）ＲＯＭ、ＥＥＰＲＯＭ、ＥＰＲＯＭ、フラッシュメモリなどの記憶装置、フレキシブルディスク、ＣＤ−ＲＯＭ、ＣＤ−ＲＷ、ＤＶＤ−ＲＯＭ、ＤＶＤ−ＲＡＭ、ＤＶＤ−ＲＷ、ブルーレイディスク、ＳＤ（登録商標）カード、ＭＯなど装置可読な記録媒体に格納して、あるいは電気通信回線を通じて頒布することができる。
【０１２０】
また、さらに、上記の各構成、機能等の一部または全部は、例えばフィールド・プログラマブル・ゲート・アレイ（ＦＰＧＡ）などのプログラマブル・デバイス（ＰＤ）上に実装することができ、上記機能部をＰＤ上に実現するためにＰＤにダウンロードする回路構成データ（ビットストリームデータ）、回路構成データを生成するためのＨＤＬ（Hardware Description Language）、ＶＨＤＬ（Very High Speed Integrated Circuits Hardware Description Language）、Ｖｅｒｉｌｏｇ−ＨＤＬなどにより記述されたデータとして記録媒体により配布することができる。また制御線や情報線は説明上必要と考えられるものを示しており、製品上必ずしも全ての制御線や情報線を示しているとは限らない。実際には殆ど全ての構成が相互に接続されていると考えてもよい。また以上の説明で例示した各種のデータの形式は、例えば、ＣＳＶ（Comma-Separated Values）、ＸＭＬ（eXtensible Markup Language）、バイナリ（binary）などにより構成することができるが、必ずしもこれらに限定されるものではない。
【符号の説明】
【０１２１】
１：空調システム１
２：空調機（室内空調機，室外空調機）
３：空調機ネットワーク
４：遠隔操作機
５：接続線
６：空調集中制御機
７：携帯型情報端末
８：通信ネットワーク
９：配置情報管理装置
１２：近距離無線通信
２０：主基板
２１：副基板
２２：負荷
２３：電源
２００：第１電源ブロック
２０１：第１制御部
２０２：第１記憶部
２０３：主記憶部
２０４：第２記憶部
２０５：空調制御通信部
２１０：第２電源ブロック
２１１：第２制御部
２１２：第３記憶部
２１３：近距離無線通信部
７１，９１：制御部
７２，９２：主記憶部
７３：第１記憶部
７４，９５：第２記憶部
７５：近距離無線通信部
７６，９３：ネットワーク通信部
７７：入力部
７８：表示部
９４：空調機配置情報記憶部
【要約】
空調機ネットワークの設定を支援する設定支援システムが開示される。設定支援システムは、空調機の紐付け情報と冷媒系統識別情報とを対応付ける対応付け情報を取得する取得部を含む。設定支援システムは、また、紐付け情報に対応し、設定対象の空調機を指定する指定情報を検出する検出部を含む。設定支援システムは、さらに、対応付け情報および指定情報に基づいて冷媒系統識別情報に関連するアドレスを、設定対象の空調機に設定する設定制御部を含む。【図１】
0006686237.tif 000002
【図２】
0006686237.tif 000003
【図３】
0006686237.tif 000004
【図４】
0006686237.tif 000005
【図５】
0006686237.tif 000006
【図６】
0006686237.tif 000007
【図７】
0006686237.tif 000008
【図８】
0006686237.tif 000009
【図９】
0006686237.tif 000010
【図１０】
0006686237.tif 000011
【図１１】
0006686237.tif 000012
【図１２】
0006686237.tif 000013
【図１３】
0006686237.tif 000014
【図１４】
0006686237.tif 000015
【図１５】
0006686237.tif 000016
【図１６】
0006686237.tif 000017
【図１７】
0006686237.tif 000018
【図１８】
0006686237.tif 000019